(57)【要約】【課題】  画像記録用紙をプリンタに挿入するだけで、所望の印刷フォーマットで印刷させることができる。【解決手段】  磁気ストライプには、少なくとも記録手法を含む記録制御情報が記憶されており、ＣＰＵ５０は、磁気ヘッド５３および記憶媒体リード／ライト制御部５４を介して、磁気ストライプから記録制御情報を読み出す。これにより、ＣＰＵ５０は、記録ヘッド１２、印字制御部５５、モータ部５６およびモータ制御部５７を備える記録部を制御して記録制御情報に対応する記録手法で画像記録用紙に記録する。【選択図】      図３
2005280045.tif 000002
【特許請求の範囲】
【請求項１】
記憶媒体を有する記録用紙に記録を行う記録装置において、
前記記憶媒体には、記録手法および記録対象情報を含む記録制御情報が記憶されており、
前記記憶媒体から前記記録制御情報を読み出す読出部と、
前記記録用紙に記録を行う記録部と、
前記記録制御情報に含まれる前記記録手法に対応する印刷フォーマットを特定するとともに、前記記録部を制御して前記印刷フォーマットおよび前記記録対象情報に基づいて印刷データを生成し、前記記録用紙に記録を行わせる制御部と、
を備えたことを特徴とする記録装置。
【請求項２】
記憶媒体を有する記録用紙に記録を行う記録装置において、
前記記憶媒体には、記録手法を含む記録制御情報が記憶されており、
前記記憶媒体から前記記録制御情報を読み出す読出部と、
前記記録用紙に記録を行う記録部と、
前記記録制御情報に対応する印刷フォーマットを特定するとともに、前記記録部を制御して前記印刷フォーマットおよび外部より入力された印刷対象データに基づいて印刷データを生成し、前記記録用紙に記録を行わせる制御部と、
を備えたことを特徴とする記録装置。
【請求項３】
請求項１または請求項２記載の記録装置において、
前記記録制御情報は、印刷除外情報を含み、
前記制御部は、前記印刷データを生成するに際し、前記印刷対象データから前記印刷除外情報に対応するデータを除外して前記印刷データを生成する、
ことを特徴とする記録装置。
【請求項４】
請求項１ないし請求項３のいずれかに記載の記録装置において、
前記印刷フォーマットは、印刷フレームあるいは書体の情報を含むことを特徴とする記録装置。
【請求項５】
請求項１ないし請求項４のいずれかに記載の記録装置において、
前記記録制御情報は、付加的に記録する情報である付加情報を特定するための付加対象情報を含むことを特徴とする記録装置。
【請求項６】
請求項１ないし請求項５のいずれかに記載の記録装置において、
前記記録時には、前記印刷フォーマットは保存されており、
前記記録制御情報は、保存した印刷フォーマットを記録完了後にクリアするクリア指示情報、あるいは、保存した印刷フォーマットを記録完了後に維持する維持指示情報を含むことを特徴とする記録装置。
【請求項７】
記録手法および記録対象情報を含む記録制御情報が記憶された記憶媒体を有する記録用紙に記録を行う記録装置の制御方法において、
前記記憶媒体から前記記録制御情報を読み出す読出過程と、
前記記録制御情報に含まれる前記記録手法に対応する印刷フォーマットを特定するとともに、前記印刷フォーマットおよび前記記録対象情報に基づいて印刷データを生成し、前記記録用紙に記録を行う記録過程と、
を備えたことを特徴とする記録装置の制御方法。
【請求項８】
記録手法を含む記録制御情報が記憶された記憶媒体を有する記録用紙に記録を行う記録装置の制御方法において、
前記記憶媒体から前記記録制御情報を読み出す読出過程と、
前記記録制御情報に対応する印刷フォーマットを特定するとともに前記印刷フォーマットおよび外部より入力された印刷対象データに基づいて印刷データを生成し、前記記録用紙に記録を行う記録過程と、
を備えたことを特徴とする記録装置の制御方法。
【請求項９】
記録手法および記録対象情報を含む記録制御情報が記憶された記憶媒体を有する記録用紙に記録を行う記録装置をコンピュータにより制御するための制御プログラムにおいて、
前記記憶媒体から前記記録制御情報を読み出させ、
前記記録制御情報に含まれる前記記録手法に対応する印刷フォーマットを特定させるとともに、前記記録部を制御して前記印刷フォーマットおよび前記記録対象情報に基づいて印刷データを生成させ、前記記録用紙に記録を行わせる、
ことを特徴とする制御プログラム。
【請求項１０】
記録手法を含む記録制御情報が記憶された記憶媒体を有する記録用紙に記録を行う記録装置をコンピュータにより制御するための制御プログラムにおいて、
前記記憶媒体から前記記録制御情報を読み出させ、
前記記録制御情報に対応する印刷フォーマットを特定させるとともに、前記記録部を制御して前記印刷フォーマットおよび外部より入力された印刷対象データに基づいて印刷データを生成させ、前記記録用紙に記録を行わせる、
ことを特徴とする制御プログラム。
【請求項１１】
請求項９または請求項１０記載の制御プログラムにおいて、
前記記録制御情報は、印刷除外情報を含み、
前記印刷データを生成するに際し、前記印刷対象データから前記印刷除外情報に対応するデータを除外して前記印刷データを生成させる、
ことを特徴とする制御プログラム。
【請求項１２】
請求項９ないし請求項１１のいずれかに記載の制御プログラムを記録したことを特徴とするコンピュータ読取可能な記録媒体。
【発明の詳細な説明】
【技術分野】
【０００１】
本発明は、記録装置、記録装置の制御方法、制御プログラムおよび記録媒体に係り、特に記憶媒体から記憶情報を読み出す読出装置を備えた記録装置、記録装置の制御方法、制御プログラムおよび記録媒体に関する。
【背景技術】
【０００２】
従来より、いわゆるパスブック型のドットインパクトプリンタが知られている（例えば、特許文献１参照）。
このパスブック型のドットインパクトプリンタは、磁気ヘッドにより画像記録媒体（例えば通帳等の画像記録用紙）に設けられた磁気記録媒体（例えば磁気ストライプ）に磁気情報を記録し、あるいは磁気情報を再生する磁気記録再生装置を有している。
そして、記録ヘッドは、記録ワイヤを突出動作させることにより、インクリボンを画像記録媒体に打ち付けてインクを転写し、文字等を含む画像を記録することとなる。
【０００３】
より詳細には、この記録ヘッドは、フロントローラとリアローラとの間に位置するプラテンに対向した位置に設けられている。
このとき、記録ヘッドのリアローラ側には横並びに用紙検出センサを備え、リアローラ側には、先端部が記録ヘッド側に延出して、記録ヘッドを通過した、画像記録用紙の先端を、リアローラに案内する案内部材を備えて構成される。
このようなパスブック型のドットインパクトプリンタは主に金融機関等で使用されており、通帳の他、一枚紙や複写紙等に対しても画像を記録することができる。
【特許文献１】特開平６−２９７７９８号公報
【発明の開示】
【発明が解決しようとする課題】
【０００４】
ところで、上記従来のドットインパクトプリンタにおいて、磁気記録媒体に記録されている磁気情報は、顧客情報などの記録に用いられているだけであり、画像記録用紙に対する印刷フォーマットなどはドットインパクトプリンタを制御する外部の制御装置（例えば、パーソナルコンピュータあるいはサーバなど）により指示されることとなっていた。
したがって、ドットインパクトプリンタに対して磁気記録媒体を利用して当該画像記録用紙に対応する印刷フォーマットなどを指示することはできなかった。
そこで、本発明の目的は、画像記録用紙をプリンタに挿入するだけで、所望の印刷フォーマットで印刷させることができる記録装置、記録装置の制御方法、制御プログラムおよび記録媒体を提供することにある。
【課題を解決するための手段】
【０００５】
上記課題を解決するため、記憶媒体を有する記録用紙に記録を行う記録装置は、前記記憶媒体には、記録手法および記録対象情報を含む記録制御情報が記憶されており、前記記憶媒体から前記記録制御情報を読み出す読出部と、前記記録用紙に記録を行う記録部と、前記記録制御情報に含まれる前記記録手法に対応する印刷フォーマットを特定するとともに、前記記録部を制御して前記印刷フォーマットおよび前記記録対象情報に基づいて印刷データを生成し、前記記録用紙に記録を行わせる制御部と、を備えたことを特徴としている。
上記構成によれば、読出部は、記憶媒体から記録制御情報を読み出し制御部に出力する。
これにより、制御部は、記録制御情報に含まれる記録手法に対応する印刷フォーマットを特定するとともに、記録部を制御して印刷フォーマットおよび記録対象情報に基づいて印刷データを生成し、記録用紙に記録を行わせる。
【０００６】
また、記憶媒体を有する記録用紙に記録を行う記録装置は、前記記憶媒体には、記録手法を含む記録制御情報が記憶されており、前記記憶媒体から前記記録制御情報を読み出す読出部と、前記記録用紙に記録を行う記録部と、前記記録制御情報に対応する印刷フォーマットを特定するとともに、前記記録部を制御して前記印刷フォーマットおよび外部より入力された印刷対象データに基づいて印刷データを生成し、前記記録用紙に記録を行わせる制御部と、を備えたことを特徴としている。
上記構成によれば、読出部は、記憶媒体から記録制御情報を読み出し制御部に出力する。
これにより、制御部は、記録制御情報に対応する印刷フォーマットを特定するとともに、記録部を制御して印刷フォーマットおよび外部より入力された印刷対象データに基づいて印刷データを生成し、記録用紙に記録を行わせる。
【０００７】
これらの場合において、前記記録制御情報は、印刷除外情報を含み、前記制御部は、前記印刷データを生成するに際し、前記印刷対象データから前記印刷除外情報に対応するデータを除外して前記印刷データを生成するようにしてもよい。
また、前記印刷フォーマットは、印刷フレームあるいは書体の情報を含むようにしてもよい。
さらに、前記記録制御情報は、付加的に記録する情報である付加情報を特定するための付加対象情報を含むようにしてもよい。
さらにまた、前記記録時には、前記印刷フォーマットは保存されており、前記記録制御情報は、保存した印刷フォーマットを記録完了後にクリアするクリア指示情報、あるいは、保存した印刷フォーマットを記録完了後に維持する維持指示情報を含むようにしてもよい。
【０００８】
また、記録手法および記録対象情報を含む記録制御情報が記憶された記憶媒体を有する記録用紙に記録を行う記録装置の制御方法は、前記記憶媒体から前記記録制御情報を読み出す読出過程と、前記記録制御情報に含まれる前記記録手法に対応する印刷フォーマットを特定するとともに、前記印刷フォーマットおよび前記記録対象情報に基づいて印刷データを生成し、前記記録用紙に記録を行う記録過程と、を備えたことを特徴としている。
また、記録手法を含む記録制御情報が記憶された記憶媒体を有する記録用紙に記録を行う記録装置の制御方法は、前記記憶媒体から前記記録制御情報を読み出す読出過程と、前記記録制御情報に対応する印刷フォーマットを特定するとともに前記印刷フォーマットおよび外部より入力された印刷対象データに基づいて印刷データを生成し、前記記録用紙に記録を行う記録過程と、を備えたことを特徴としている。
【０００９】
また、記録手法および記録対象情報を含む記録制御情報が記憶された記憶媒体を有する記録用紙に記録を行う記録装置をコンピュータにより制御するための制御プログラムは、前記記憶媒体から前記記録制御情報を読み出させ、前記記録制御情報に含まれる前記記録手法に対応する印刷フォーマットを特定させるとともに、前記記録部を制御して前記印刷フォーマットおよび前記記録対象情報に基づいて印刷データを生成させ、前記記録用紙に記録を行わせる、ことを特徴としている。
【００１０】
また、記録手法を含む記録制御情報が記憶された記憶媒体を有する記録用紙に記録を行う記録装置をコンピュータにより制御するための制御プログラムは、前記記憶媒体から前記記録制御情報を読み出させ、前記記録制御情報に対応する印刷フォーマットを特定させるとともに、前記記録部を制御して前記印刷フォーマットおよび外部より入力された印刷対象データに基づいて印刷データを生成させ、前記記録用紙に記録を行わせる、ことを特徴としている。
これらの場合において、前記記録制御情報は、印刷除外情報を含み、前記印刷データを生成するに際し、前記印刷対象データから前記印刷除外情報に対応するデータを除外して前記印刷データを生成させるようにしてもよい。
また、上記各制御プログラムをコンピュータ読取可能な記録媒体に記録することも可能である。
【発明の効果】
【００１１】
本発明によれば、画像記録用紙をプリンタに挿入するだけで、必要な情報を印刷させることができる。
【発明を実施するための最良の形態】
【００１２】
次に図面を参照して、本発明の好適な実施形態を説明する。
［１］第１実施形態
図１は、磁気記録再生装置を備えたドットインパクトプリンタを示す全体斜視図である。図２は、図２のプリンタを示す側断面図である。
プリンタ１０は、記録ヘッド１２（図２参照）の多数の記録ワイヤを、インクリボン（図示せず）を介して画像記録用紙に打ち付けてドットを記録することにより、文字を含む画像を記録するパスブック型のドットインパクトプリンタである。
さらにプリンタ１０は、磁気記録再生装置１１を一体に装備している。画像記録用紙は、通常、金融機関等で使用されている通帳や複写紙、一枚紙等であり、これらの画像記録用紙に貼着あるいは印刷された記録媒体としての磁気ストライプに、磁気記録再生装置１１が磁気情報を記録し、または、この記録された磁気情報を読み取って再生することとなる。
【００１３】
プリンタ１０は、図１及び図２に示すように、左サイドフレーム１３、右サイドフレーム１４及びベースフレームを備えた本体フレームに、キャリッジ１５、記録ヘッド１２、搬送装置（フロントローラ、リアローラ）、磁気記録再生装置１１及び制御装置としての制御基板部を有して構成される。
搬送装置は、図３に示すように、フロントローラＦＲ、リアローラＲＲを備えている。フロントローラＦＲは、上下一対の駆動ローラ１７Ａ及び従動ローラ１８Ａで構成されている。また、リアローラＲＲは、同じく上下一対の駆動ローラ１７Ｂ及び従動ローラ１８Ｂで構成されている。
フロントローラＦＲおよびリアローラＲＲは、記録ヘッド１２の上流側と下流側に一組づつ配置され、これら二組の駆動ローラ１７及び従動ローラ１８が、搬送案内１９に載置された記録用紙等を挟持して、この記録用紙等を副走査方向（矢印Ａ方向）に搬送する。なお、従動ローラ１８は、駆動ローラ１７と同様に駆動ローラであってもよい。
【００１４】
リアローラＲＲの従動ローラ１８Ｂ側には、先端部２９Ａが記録ヘッド１２側に延出して、記録ヘッド１２を通過した、通帳及び複写紙を含む記録用紙の先端を、リアローラＲＲに案内する案内部材２９が設けられている。
キャリッジ１５は、記録ヘッド１２を搭載し、この記録ヘッド１２をプラテン４９に沿って矢印Ａと直交する方向である主走査方向に右向きまたは左向きに走行させる。この主走査方向は、搬送装置による画像記録用紙等の搬送方向（副走査方向）と直交する方向となっている。
プラテン４９は、図示しない付勢ばねを用いて、記録ヘッド１２に対し接離する方向に移動自在に弾性支持されている。これにより、記録ヘッド１２とプラテン４９との間に厚さの異なる画像記録用紙が搬送された場合でも、プラテン４９が通帳等の厚さ方向で、記録ヘッド１２から離れる向きに移動して、記録ヘッド１２と記録用紙等の表面（印字面）との間に一定のプラテンギャップが確保される。
【００１５】
記録ヘッド１２は多数の図示しない記録ワイヤを備え、これらの記録ワイヤの突出方向前方で、記録ヘッド１２とプラテン４９との間に図示しないインクリボンが位置する。この記録ヘッド１２は、キャリッジと共に主走査方向に走行する間に、記録ワイヤを突出させてインクリボンに打ち当て、このインクリボンのインクを記録ヘッド１２の下方に位置する記録用紙等に付着させて、この記録用紙等に文字を含む画像を記録することとなる。
【００１６】
図３は、プリンタの概要構成ブロック図である。
プリンタ１０は、プリンタ１０全体を制御するＣＰＵ５０と、制御プログラムおよび制御用データを予め記憶したＲＯＭ５１と、各種データを一時的に格納するＲＡＭ５２と、画像記録用紙の磁気ストライプに記録された情報を読み出し、あるいは、記録するための磁気記録再生装置１１と、記録ヘッド１２と、記録ヘッド１２を制御する印字制御部５５と、対応する各部を駆動するための複数のモータを有するモータ部５６と、モータ部５６を構成する各モータを制御するためのモータ制御部５７と、イーサネット（登録商標）等の通信インターフェースを含む各種インターフェースを備えたインターフェース（Ｉ／Ｆ）部５８と、インターフェース部５８を制御するためのインターフェース（Ｉ／Ｆ）制御部５９と、を備えている。
【００１７】
次に第１実施形態の動作について説明する。
図４は、プリンタの処理フローチャートである。
本第１実施形態の画像記録用紙には、当該画像記録用に対応する記録手法および記録すべき対象である記録対象情報を記述した記録制御情報が磁気ストライプに記録されている。
具体的には、記録手法としては、背景色、印刷フレーム仕様、使用フォント、スタイルなどが記述されている。
【００１８】
プリンタ１０を用いて実際に印字を行う場合には、まずユーザは、記録制御情報が記録されている磁気ストライプを有する画像記録用紙をプリンタ１０に対し、矢印Ａ方向（図２）に挿入する（ステップＳ１１）。この画像記録用紙が所定位置まで挿入されると、画像記録用紙は、フロントローラＦＲによりさらに矢印Ａ方向に搬送される。
これに伴い、ＣＰＵ５０は、磁気ヘッド５３および記録媒体リード／ライト制御部５４を介して画像記録用紙の磁気ストライプから記録制御情報および記録対象情報を読み出す（ステップＳ１２）。
続いてＣＰＵ５０は、画像記録用紙から読み出した記録制御情報を解析し、記録制御情報に含まれる記録手法を特定する（ステップＳ１３）。
【００１９】
次にＣＰＵ５０は、特定された記録手法に応じて印刷データを生成する（ステップＳ１４）。
具体的にはＣＰＵ５０は、磁気ストライプから読み出した記録対象情報に対し記録手法に応じた処理を施して印刷データを生成することとなる。
続いて、ＣＰＵ５０は、印字制御部５５およびモータ制御部５７を制御し、モータ部５６により駆動ローラ１７を駆動して画像記録用紙を副操作方向に搬送しつつ、記録ヘッド１２を主走査方向に走査して印刷データに対応する画像（記録対象情報に対応する画像）を記録対象として印字して処理を終了する（ステップＳ１５）。
以上の説明のように、本実施形態によれば、画像記録用紙に記録手法および記録対象情報を含む記録性制御情報を記憶させた記憶媒体を設けるだけで、容易に所望の記録手法に応じた印刷を行わせることができる。
【００２０】
［２］第２実施形態
以上の第１実施形態においては、プリンタ単独で印字を行う場合であったが、本第２実施形態は、外部装置であるパーソナルコンピュータからの印刷データに基づいて印字を行う場合の実施形態である。
図３に示すように、プリンタ１０には、パーソナルコンピュータ２がＬＡＮ３を介して接続されている。また、パーソナルコンピュータ２には、各種データを含むファイルが格納されたデータベース６が接続されている。
図５は、第２実施形態のプリンタの処理フローチャートである。
本第２実施形態の画像記録用紙には、当該画像記録用に対応する記録手法を記述した記録制御情報が磁気ストライプに記録されている。
【００２１】
プリンタ１０を用いて実際に印字を行う場合には、まずユーザは、記録制御情報が記録されている磁気ストライプを有する画像記録用紙をプリンタ１０に対し、矢印Ａ方向（図２）に挿入する（ステップＳ２１）。この画像記録用紙が所定位置まで挿入されると、画像記録用紙は、フロントローラＦＲによりさらに矢印Ａ方向に搬送される。
これに伴い、ＣＰＵ５０は、磁気ヘッド５３および記録媒体リード／ライト制御部５４を介して画像記録用紙の磁気ストライプから記録制御情報を読み出す（ステップＳ２２）。
続いてＣＰＵ５０は、読み出した記録制御情報を解析し、対応する記録手法を決定する（ステップＳ２３）。
【００２２】
さらにＣＰＵ５０は、記録手法に応じた印刷フォーマットを設定し、ＲＡＭ５２に保存する（ステップＳ２４）。
具体的な印刷フォーマットしては、背景色、フレーム仕様、使用フォント、スタイル（フォントサイズ、行数、余白、改行幅など）が設定される。
次にＣＰＵ５０は、インターフェース制御部５９を介して、インターフェース部５８を構成する通信インターフェースを制御し、ＬＡＮ３を介して外部装置であるパーソナルコンピュータ２から、印刷データを受信する（ステップＳ２５）。
この結果、外部装置であるパーソナルコンピュータ２から印刷データを受け取ったＣＰＵ５０は、ＲＡＭ５２に保存した印刷フォーマットに基づいて印刷データを解析する（ステップＳ２６）。
【００２３】
そして、ＣＰＵ５０は、解析結果に基づいて印字制御部５５およびモータ制御部５７を制御し、モータ部５６により駆動ローラ１７を駆動して画像記録用紙を副操作方向に搬送しつつ、記録ヘッド１２を主走査方向に走査して印刷データに対応する画像を印刷フォーマットに則って印字する（ステップＳ２７）。
印字が完了するとＣＰＵ５０は、ＲＡＭに保存した印刷フォーマットを次回の印刷に備えて、廃棄して処理を終了する（ステップＳ２８）。
以上の説明のように、本第２実施形態によれば、画像記録用紙に記録手法を記憶させた記憶媒体を設けるだけで、容易に外部装置からの印刷データを各画像記録用紙毎に異なる記録手法に従った印刷フォーマットで印刷を行わせることができる。
【００２４】
以上の第２実施形態の説明においては、印字完了後にＲＡＭに保存した印刷フォーマットを次回の印刷に備えて、廃棄していたが、記録制御情報に保存した印刷フォーマットをクリアする（クリア指示情報）あるいは維持する（維持指示情報）を含むように構成し、これらの指示に従って処理を行うように構成することも可能である。
【００２５】
［３］実施形態の変形例
［３．１］第１変形例
以上の説明においては、磁気ストライプに記憶された記録対象情報あるいは外部機器であるパーソナルコンピュータから送信された印刷データについては何ら制限を設けずに印字していたが、記録制御情報として不要な情報を印字しない設定を含めるように構成することも可能である。
具体的には、データベースに含まれるデータを記録対象情報とする場合に、氏名、住所、電話番号などの個人情報の印字を禁止したり、ユーザにとって不要な情報の印字を禁止したり、複数の文書の第１頁（例えば、要約が記載されているページなど）のみを印字するような設定を含めることが可能である。
この結果、セキュリティーが向上し、余分な情報などによる印字枚数の増加を抑制することが可能である。
【００２６】
［３．２］第２変形例
以上の説明においては、プリンタがスタンドアロン、あるいは、外部装置であるパーソナルコンピュータとＬＡＮを介して接続されている場合について説明したが、さらに外部装置であるパーソナルコンピュータがインターネットなどの通信ネットワークを介して接続されているような場合に、付加情報としてＷｅｂページの最新データを印字させたりするように記録制御情報に付加対象情報を設定しておくことも可能である。
【００２７】
［３．３］第３変形例
以上の説明においては、記憶媒体として磁気ストライプを用いる場合を説明したが、二次元バーコードを設けたり、ＩＣチップを設けることも可能である。この場合には、磁気ヘッドに代えてバーコードリーダあるいはＩＣチップリーダを設ければ同様に適用が可能であり、より多くの情報を記録手法あるいは記録対象情報として記憶させることが可能である。
【００２８】
［３．４］第４変形例
以上の説明においては、プリンタを制御するための制御プログラムがＲＯＭ５１に予め記憶されている場合について説明したが、各種磁気ディスク、光ディスク、メモリカードなどの記録媒体に制御用プログラムをあらかじめ記録し、これらの記録媒体から読み込み、インストールするように構成することも可能である。また、通信インターフェースを設け、インターネット、ＬＡＮなどのネットワークを介して制御用プログラムをダウンロードし、インストールして実行するように構成することも可能である。このように構成することにより、ソフトウェア的により高機能としたり、より信頼性の高いプリンタ（記録装置）を構成することが可能となる。
【図面の簡単な説明】
【００２９】
【図１】磁気記録再生装置を備えたドットインパクトプリンタを示す全体斜視図である。
【図２】図１のプリンタを示す側断面図である。
【図３】プリンタおよびプリンタシステムの概要構成ブロック図である。
【図４】第１実施形態のプリンタの処理フローチャートである。
【図５】第２実施形態のプリンタの処理フローチャートである。
【符号の説明】
【００３０】
１…プリントシステム、２…パーソナルコンピュータ、３…ＬＡＮ、４…通信ネットワーク、５…Ｗｅｂサーバ、１１…磁気記録再生装置、１２…記録ヘッド、
１０…プリンタ、５０…ＣＰＵ、５１…ＲＯＭ、５２…ＲＡＭ５２、５５…印字制御部、５６…モータ部、５７…モータ制御部、５８…インターフェース（Ｉ／Ｆ）部、５９…インターフェース（Ｉ／Ｆ）制御部
【図１】
2005280045.tif 000003
【図２】
2005280045.tif 000004
【図３】
2005280045.tif 000005
【図４】
2005280045.tif 000006
【図５】
2005280045.tif 000007